(57)【特許請求の範囲】
【請求項１】
画像入力装置より供給される入力信号の色相を修正し、画像出力装置に応じた色相を得るためのカラーコレクション関数を設定する方法であって、
既知の色度からなるカラーチャートを前記画像入力装置により読み取り、得られた入力信号の各色相における明度および彩度を修正するための色修正強度関数を設定するステップと、
前記入力信号の各色相を修正するためのカラーコレクション関数を仮設定するステップと、
グレーチャートを前記画像入力装置により読み取り、前記画像出力装置によりグレー色を出力すべく、グレーバランスを調整するステップと、
前記既知の色度からなるカラーチャートを前記画像入力装置により読み取り、得られた入力信号から前記グレーバランスが調整された出力信号を得、前記出力信号を色相信号、明度信号および彩度信号に変換し、前記色相信号を前記カラーコレクション関数を用いて修正するとともに、前記明度信号および前記彩度信号を前記色修正強度関数を用いて修正するステップと、
修正された前記色相信号、修正された前記明度信号および修正された前記彩度信号から得られる修正された前記出力信号に基づき、前記画像出力装置によりカラーチャートを出力するステップと、
出力された前記カラーチャートの色相を前記既知の色度からなるカラーチャートの色相に一致させるべく、前記カラーコレクション関数を修正するステップと、
からなることを特徴とするカラーコレクション関数設定方法。
【請求項２】
請求項１記載の方法において、
前記グレーバランスを調整するステップは、
ハイライトおよびシャドーの入力信号のグレーバランスを調整するステップと、
中間調の入力信号のグレーバランスを調整するステップと、
からなることを特徴とするカラーコレクション関数設定方法。
【発明の詳細な説明】
【０００１】
【発明の属する技術分野】
本発明は、画像入力装置より供給される入力信号の色相から画像出力装置に応じた色修正を行うためのカラーコレクション関数を設定する方法に関する。
【０００２】
【従来の技術】
ＤＴＰや印刷・製版等の分野において、スキャナによりカラー原稿を読み取ることで入力信号を得、この入力信号に対して所望の画像処理を施した後、プリンタやＣＲＴ等の画像出力装置によりカラー画像を出力するようにしたカラー画像入出力システムが広範に用いられている。
【０００３】
この場合、カラー画像入出力システムでは、再現されるカラー画像の色を鮮やかにしたり、色の濁りを取ることを目的として、カラー原稿をスキャンして得られた入力信号の色相をカラーコレクション回路において判別し、色相毎に設定されたカラーコレクション関数を用いて色修正を行っている。なお、色を鮮やかにするためには、必要色を増加させればよく、また、色の濁りを取るためには、不要色を除去すればよい。
【０００４】
ところで、前記カラーコレクション関数は、スキャナを用いてリバーサル原稿を処理するような場合には、比較的単純な形状で色修正を行うことができるが、例えば、デジタルカメラ等の異なる特性の画像入力装置から得られた入力信号に対しては、充分な精度で色修正を行うことができない。
【０００５】
【発明が解決しようとする課題】
本発明は、このような不具合を解消するためになされたものであって、入力信号に応じた最適なカラーコレクション関数を得ることのできるカラーコレクション関数設定方法を提供することを目的とする。
【０００６】
【課題を解決するための手段】
本発明に係るカラーコレクション関数設定方法では、画像入力装置より供給される入力信号の色相を修正し、画像出力装置に応じた色相を得るためのカラーコレクション関数を設定する方法であって、
既知の色度からなるカラーチャートを前記画像入力装置により読み取り、得られた入力信号の各色相における明度および彩度を修正するための色修正強度関数を設定するステップと、
前記入力信号の各色相を修正するためのカラーコレクション関数を仮設定するステップと、
グレーチャートを前記画像入力装置により読み取り、前記画像出力装置によりグレー色を出力すべく、グレーバランスを調整するステップと、
前記既知の色度からなるカラーチャートを前記画像入力装置により読み取り、得られた入力信号から前記グレーバランスが調整された出力信号を得、前記出力信号を色相信号、明度信号および彩度信号に変換し、前記色相信号を前記カラーコレクション関数を用いて修正するとともに、前記明度信号および前記彩度信号を前記色修正強度関数を用いて修正するステップと、
修正された前記色相信号、修正された前記明度信号および修正された前記彩度信号から得られる修正された前記出力信号に基づき、前記画像出力装置によりカラーチャートを出力するステップと、
出力された前記カラーチャートの色相を前記既知の色度からなるカラーチャートの色相に一致させるべく、前記カラーコレクション関数を修正するステップと、
からなることを特徴とする。
【０００７】
このようにして調整されたカラーコレクション関数を用いることにより、前記入力信号に対応した色相からなる出力信号を生成することができる。
【０００８】
【発明の実施の形態】
図１は、本実施形態のカラーコレクション関数設定方法が適用されるカラー画像入出力システムを示す。このカラー画像入出力システムは、画像入力装置であるデジタルカメラ２と、前記デジタルカメラ２から供給された入力信号Ｒ、Ｇ、Ｂに対して色修正を含む色処理を施す色処理装置４と、色処理の施された出力信号Ｃ、Ｍ、Ｙ、Ｋに基づき所望のカラー画像を出力する画像出力装置６とから基本的に構成される。
【０００９】
図２は、前記色処理装置４における画像処理回路の構成ブロック図である。この画像処理回路は、デジタルカメラ２から供給されるＲ、Ｇ、Ｂの入力信号ＲＧＢから、画像出力装置６におけるＣ、Ｍ、Ｙ、Ｋの出力信号ＣＭＹＫを生成する回路である。
【００１０】
前記画像処理回路は、入力信号ＲＧＢのハイライト（ＨＬ）およびシャドー（ＳＨ）の濃度値を指定値に応じて調整し、Ｃ、Ｍ、Ｙの３色信号ＣＭＹ１を生成する濃度設定回路１０を有する。前記３色信号ＣＭＹ１は、カラーコレクション回路１２、階調変換回路１４、ＵＣＲ（Under Color Removal ）回路１６、最大／最小値算出回路１８に夫々供給される。
【００１１】
カラーコレクション回路１２は、後述するように構成されており（図３）、所望の校正値であるコレクション係数に従って３色信号ＣＭＹ１を調整することにより、Ｃ、Ｍ、Ｙ、Ｋの４色修正信号ΔＣＭＹＫ３を生成する。階調変換回路１４は、３色信号ＣＭＹ１を各色のトーンカーブを用いて階調変換し、変換された３色信号ＣＭＹ２を生成する。ＵＣＲ回路１６は、例えば、３色信号ＣＭＹ１と前記３色信号ＣＭＹ１の最大値Ｑｍａｘ、最小値Ｑｍｉｎとから、グレー成分に対する３色信号ＣＭＹ１の３色修正信号ΔＣＭＹ２を生成する。最大／最小値算出回路１８は、前記３色信号ＣＭＹ１の最大値Ｑｍａｘおよび最小値Ｑｍｉｎを求める。
【００１２】
前記画像処理回路は、さらに、基準信号生成回路２０、墨（Ｋ）版信号生成回路２２、網％設定回路２４を備える。
【００１３】
基準信号生成回路２０は、前記最大値Ｑｍａｘおよび最小値Ｑｍｉｎに従って墨（Ｋ）版信号Ｋ３のレベルを調整する基準信号ｓｋを生成する。墨（Ｋ）版信号生成回路２２は、前記基準信号ｓｋに基づき、予め設定された変換テーブルに従い墨（Ｋ）版信号Ｋ３を生成する。網％設定回路２４は、４色信号ＣＭＹＫ４から、ハイライト（ＨＬ）およびシャドー（ＳＨ）の網％値を出力特性に応じて調整した網％信号としての出力信号ＣＭＹＫを生成する。
【００１４】
なお、階調変換回路１４と網％設定回路２４との間には、３色信号ＣＭＹ２に３色修正信号ΔＣＭＹ２を加算して３色信号ＣＭＹ３を生成する加算回路２６と、３色信号ＣＭＹ３および墨（Ｋ）版信号Ｋ３に４色修正信号ΔＣＭＹＫ３を加算して４色信号ＣＭＹＫ４を生成する加算回路２８とが配設される。
【００１５】
一方、カラーコレクション回路１２は、図３に示すように、３色信号ＣＭＹ１を色相信号Ｈ、明度信号Ｌおよび彩度信号Ｓに変換するＨＬＳ変換回路３０と、前記色相信号Ｈ、明度信号Ｌおよび彩度信号Ｓから、Ｒ、Ｙ、Ｇ、Ｃ、Ｂ、Ｍの各色相の単位色修正信号を求める単位色修正信号算出回路３２Ｒ、３２Ｙ、３２Ｇ、…３２Ｍと、前記各単位色修正信号算出回路３２Ｒ、３２Ｙ、３２Ｇ、…３２Ｍにおいて算出された単位色修正信号を加算して、Ｃ、Ｍ、Ｙ、Ｋの各版の４色修正信号ΔＣＭＹＫ３の１つを生成する加算回路３４とを備える。なお、前記各単位色修正信号算出回路３２Ｒ、３２Ｙ、３２Ｇ、…３２Ｍおよび前記加算回路３４は、Ｃ、Ｍ、Ｙ、Ｋの各版毎に有するものとする。
【００１６】
前記単位色修正信号算出回路３２Ｒは、Ｒの色に対応して設定したカラーコレクション関数である色相方向強度関数に従って、色相信号Ｈから修正強度信号である色相方向強度信号を求める色相方向強度算出回路３６と、Ｒの色に対応して設定した明度・彩度方向強度関数に従って明度信号Ｌおよび彩度信号Ｓから明度・彩度方向強度信号を求める明度・彩度方向強度算出回路３８と、前記色相方向強度信号および前記明度・彩度方向強度信号を乗算する乗算回路４０と、前記の乗算結果に対して外部から与えられるＲの校正値であるコレクション係数を乗算する乗算回路４２とから構成される。なお、他の単位色修正信号算出回路３２Ｙ、３２Ｇ、…３２Ｍは、Ｙ、Ｇ、…Ｍの夫々の色に対応した色相方向強度関数および明度・彩度方向強度関数を有しており、その他の構成は前記単位色修正信号算出回路３２Ｒと同様である。
【００１７】
本実施形態のカラーコレクション関数設定方法が適用されるカラー画像入出力システムは、基本的には以上のように構成されるものであり、次にこのシテムを用いたカラーコレクション関数の設定方法について具体的に説明する。
【００１８】
先ず、図１に示すように、明度が段階的に設定された複数のパッチからなるグレー色のグレーチャートＧｒｅｙと、色相、彩度、明度が段階的に設定され、その色度が既知であるカラーチャートＣＭＹとからなるテストチャートＴを準備する。
【００１９】
そして、原稿画像の読み取り作業に先立って、色相信号Ｈから修正強度信号としての色相方向強度信号ｖｈを得るためのカラーコレクション関数である色相方向強度関数ＦＲ（Ｈ）、ＦＹ（Ｈ）、ＦＧ（Ｈ）、…ＦＭ（Ｈ）と、明度信号Ｌおよび彩度信号Ｓから修正強度信号としての明度・彩度方向強度信号ｖａを得るための色修正強度関数である明度・彩度方向強度関数ＧＲ（Ｌ，Ｓ）、ＧＹ（Ｌ，Ｓ）、ＧＧ（Ｌ，Ｓ）、…ＧＭ（Ｌ，Ｓ）とを予め設定しておく。なお、各関数の添字Ｒ、Ｙ、Ｇ、…Ｍは修正対象とする色を表すものとする。
【００２０】
すなわち、例えば、カラーチャートＣＭＹの網％値を求める一方、デジタルカメラ２により前記カラーチャートＣＭＹを読み取ってカラーコレクション回路１２による色修正を行わない信号を生成し、その網％値を求める。そして、これらの網％値の差分値を修正対象とするＲ、Ｙ、Ｇ、…Ｍの各色相毎に求め、それらを各色相における明度および彩度の修正量とする。次に、前記差分値から最小自乗法を用いて３次曲面を求め、この３次曲面に対して最大値により正規化するとともに、最小値を０に制限し、これを明度・彩度方向強度関数ＧＲ（Ｌ，Ｓ）、ＧＹ（Ｌ，Ｓ）、ＧＧ（Ｌ，Ｓ）、…ＧＭ（Ｌ，Ｓ）に設定する。
【００２１】
また、色相方向強度関数ＦＲ（Ｈ）、ＦＹ（Ｈ）、ＦＧ（Ｈ）、…ＦＭ（Ｈ）は、例えば、図６に示すように、対象とする色相をピークとして隣接する色相まで直線的に減少する関数として仮設定する。
【００２２】
そこで、前記テストチャートＴにおけるグレーチャートＧｒｅｙをデジタルカメラ２により読み込む。グレーチャートＧｒｅｙのハイライト（ＨＬ）およびシャドー（ＳＨ）のパッチを読み込んで得られた入力信号ＲＧＢを夫々ＲＨ、ＧＨ、ＢＨ、およびＲＳ、ＧＳ、ＢＳとすると、これらの信号がＲＨ＝ＧＨ＝ＢＨ、ＲＳ＝ＧＳ＝ＢＳとなるように、濃度設定回路１０を調整する（図４参照）。
【００２３】
次いで、グレーチャートＧｒｅｙの中間調（ＭＤ）のパッチを読み込んで得られた入力信号ＲＧＢをＲＭ、ＧＭ、ＢＭとし、この信号がＲＭ＝ＧＭ＝ＢＭとなるように、階調変換回路１４を調整する（図５参照）。
【００２４】
以上のようにしてグレーバランスが調整された色処理装置４に対して、グーチャートＧｒｅｙをデジタルカメラ２により読み込んで得られた入力信号ＲＧＢを供給し、前記の設定に基づいて色処理を行って得られる出力信号ＣＭＹＫを画像出力装置６に供給した場合、グレーチャートＧｒｅｙを高精度に再現することができる。
【００２５】
次に、前記テストチャートＴにおけるカラーチャートＣＭＹをデジタルカメラ２により読み込む。デジタルカメラ２により得られた入力信号ＲＧＢは、濃度設定回路１０により、ハイライトおよびシャドーの濃度値が所定濃度となるように調整された３色信号ＣＭＹ１に変換される。次いで、この３色信号ＣＭＹ１は、カラーコレクション回路１２、階調変換回路１４、ＵＣＲ回路１６、最大／最小値算出回路１８に夫々供給される。
【００２６】
カラーコレクション回路１２では、前記３色信号ＣＭＹ１から以下に示すようにして、Ｃ、Ｍ、Ｙ、Ｋの夫々の色に対する４色修正信号ΔＣＭＹＫ３が生成される。
【００２７】
先ず、前記３色信号ＣＭＹ１は、ＨＬＳ変換回路３０により色相信号Ｈ、明度信号Ｌおよび彩度信号Ｓに変換される。なお、色相信号Ｈは、０．０≦Ｈ＜６．０、明度信号Ｌは、０．０≦Ｌ≦１．０、彩度信号Ｓは、０．０≦Ｓ≦１．０の各範囲に設定されるものとする。また、Ｈ＝０はＲ、Ｈ＝１はＹ、Ｈ＝２はＧ、Ｈ＝３はＣ、Ｈ＝４はＢ、Ｈ＝５はＭの各色相を表し、Ｌ＝０は暗い色、Ｌ＝１は明るい色を表し、Ｓ＝０は濁った色、Ｓ＝１は鮮やかな色を表すものとする。
【００２８】
前記ＨＬＳ変換回路３０では、３色信号ＣＭＹ１の最大値Ｑｍａｘ、中間値Ｑｍｉｄ、最小値Ｑｍｉｎを求める。この場合、最大値Ｑｍａｘを与える色をＰｍａｘ、中間値Ｑｍｉｄを与える色をＰｍｉｄ、最小値Ｑｍｉｎを与える色をＰｍｉｎとすると、
Ｖ＝（Ｑｍｉｄ−Ｑｍｉｎ）／（Ｑｍａｘ−Ｑｍｉｎ）
として、Ｐｍａｘ＝Ｙ、且つ、Ｐｍｉｎ＝Ｃのとき、
Ｈ＝１．０−Ｖ
Ｐｍａｘ＝Ｙ、且つ、Ｐｍｉｎ＝Ｍのとき、
Ｈ＝１．０＋Ｖ
Ｐｍａｘ＝Ｃ、且つ、Ｐｍｉｎ＝Ｍのとき、
Ｈ＝３．０−Ｖ
Ｐｍａｘ＝Ｃ、且つ、Ｐｍｉｎ＝Ｙのとき、
Ｈ＝３．０＋Ｖ
Ｐｍａｘ＝Ｍ、且つ、Ｐｍｉｎ＝Ｙのとき、
Ｈ＝５．０−Ｖ
Ｐｍａｘ＝Ｍ、且つ、Ｐｍｉｎ＝Ｃのとき、
Ｈ＝５．０＋Ｖ
として色相信号Ｈを求める。
【００２９】
また、明度信号Ｌは、
Ｌ＝１．０−Ｑｍａｘ
として求める。さらに、彩度信号Ｓは、Ｑｍａｘ≦−０．０ならば、
Ｓ＝０．０
とし、前記以外の場合には、
Ｓ＝１．０−（Ｑｍｉｎ＋０．１）／（Ｑｍａｘ＋０．１）
として求める。
【００３０】
次に、前記のようにして求められた色相信号Ｈ、明度信号Ｌおよび彩度信号Ｓは、単位色修正信号算出回路３２Ｒ、３２Ｙ、３２Ｇ、…３２Ｍに夫々供給され、色相方向強度関数ＦＲ（Ｈ）、ＦＹ（Ｈ）、ＦＧ（Ｈ）、…ＦＭ（Ｈ）および明度・彩度方向強度関数ＧＲ（Ｌ，Ｓ）、ＧＹ（Ｌ，Ｓ）、ＧＧ（Ｌ，Ｓ）、…ＧＭ（Ｌ，Ｓ）を用いてＲ修正信号ｖｒ、Ｙ修正信号ｖｙ、Ｇ修正信号ｖｇ、…Ｍ修正信号ｖｍが夫々生成される。
【００３１】
すなわち、単位色修正信号算出回路３２Ｒの色相方向強度算出回路３６において、色相信号Ｈから色相方向強度信号ｖｈを、
ｖｈ＝ＦＲ（Ｈ）
として求める。
【００３２】
また、明度・彩度方向強度算出回路３８において、明度信号Ｌおよび彩度信号Ｓから明度・彩度方向強度信号ｖａを、
ｖａ＝ＧＲ（Ｌ，Ｓ）
として求める。
【００３３】
前記のようにして求めた色相方向強度信号ｖｈおよび明度・彩度方向強度信号ｖａを乗算回路４０で乗算し、Ｒ修正信号ｖｒを、
ｖｒ＝ｖｈ・ｖａ
として求める。
【００３４】
次に、以上のようにして求められたＲ修正信号ｖｒは、例えば、４色修正信号ΔＣＭＹＫ３の中、Ｙの修正信号ΔＹを求める場合であれば、乗算回路４２において、前記Ｒ修正信号ｖｒにＹの色に対するＲの色のコレクション係数ＲＣＯＲＹを乗算することにより、単位色修正信号ｕｒを、
ｕｒ＝ｖｒ・ＲＣＯＲＹ
として求める。
【００３５】
同様にして、各単位色修正信号算出回路３２Ｙ、３２Ｇ、…３２Ｍにおいて、Ｙの色に対するＹ、Ｇ、…Ｍの色のコレクション係数を乗算回路４２で乗算することにより、Ｙの色に係る単位色修正信号ｕｙ、ｕｇ、…ｕｍを求めた後、加算回路３４でこれらの単位色修正信号ｕｒ、ｕｙ、ｕｇ、…ｕｍを加算し、
ΔＹ＝ｕｒ＋ｕｙ＋ｕｇ＋…＋ｕｍ
としてＹの色修正信号ΔＹを求める。なお、Ｃ、Ｍ、Ｋについても同様に、夫々のコレクション係数（色相Ｒについてはそれぞれコレクション係数ＲＣＯＲＣ、ＲＣＯＲＭ、ＲＣＯＲＫとする。）を用いて色修正信号ΔＣ、ΔＭ、ΔＫを求めることができる。
【００３６】
一方、階調変換回路１４では、３色信号ＣＭＹ１を各色毎に設定したトーンカーブを用いて階調変換することにより３色信号ＣＭＹ２を生成し、この３色信号ＣＭＹ２を加算回路２６に供給する。
【００３７】
最大／最小値算出回路１８では、前記３色信号ＣＭＹ１の大小関係を比較することにより、最大値Ｑｍａｘおよび最小値Ｑｍｉｎを求め、ＵＣＲ回路１６および基準信号生成回路２０に供給する。
【００３８】
ＵＣＲ回路１６では、最大／最小値算出回路１８から供給される最大値Ｑｍａｘおよび最小値Ｑｍｉｎと、所望のＵＣＲ強度設定値とに基づき、前記３色信号ＣＭＹ１のＵＣＲによる修正値を求め、３色修正信号ΔＣＭＹ２として加算回路２６に供給する。
【００３９】
前記加算回路２６は、階調変換回路１４から供給される３色信号ＣＭＹ２に対して３色修正信号ΔＣＭＹ２を加算することにより、ＵＣＲの分だけ修正した３色信号ＣＭＹ３を生成して加算回路２８に供給する。
【００４０】
また、最大／最小値算出回路１８から出力された最大値Ｑｍａｘおよび最小値Ｑｍｉｎは、基準信号生成回路２０に供給され、墨（Ｋ）版信号Ｋ３を生成するための基準信号ｓｋが生成される。
【００４１】
ここで、前記基準信号ｓｋは、例えば、次のようにして生成する。すなわち、前記基準信号ｓｋは、最大値Ｑｍａｘ、最小値Ｑｍｉｎ、および、グレーの幅をコントロールする所定の制御係数Ｇｉｄｘ（０≦Ｇｉｄｘ≦１）、を用いて、
ｓｋ＝ｔ・Ｑｍｉｎ＋（１−ｔ）・Ｑｍａｘ
として求められる。なお、パラメータｔは、
ｔ＝１（Ｑｍａｘ≧（Ｇｉｄｘ＋１）・ＱｍｉｎまたはＱｍｉｎ＝０のとき）ｔ＝０（Ｑｍａｘ＝Ｑｍｉｎのとき）
ｔ＝（Ｑｍａｘ−Ｑｍｉｎ）／（Ｇｉｄｘ・Ｑｍｉｎ）
（Ｑｍｉｎ＜Ｑｍａｘ＜（Ｇｉｄｘ＋１）・Ｑｍｉｎのとき）
の関係にあるものとする。
【００４２】
この場合、ｔ＝１の条件は、最大値Ｑｍａｘと最小値Ｑｍｉｎとの差が大きく、３色信号ＣＭＹ１の色が鮮やかな色の領域にあることを示す。また、ｔ＝０の条件は、最大値Ｑｍａｘと最小値Ｑｍｉｎとが等しく、前記３色信号ＣＭＹ１の色がグレーであることを示す。さらに、０＜ｔ＜１の条件は、最大値Ｑｍａｘと最小値Ｑｍｉｎとが少なく、前記３色信号ＣＭＹ１の色が濁色の領域にあることを示す。従って、基準信号ｓｋは、３色信号ＣＭＹ１の色が鮮やかな色の領域にある場合には、ｔ＝１として最小値Ｑｍｉｎに等しく、３色信号ＣＭＹ１の色がグレーの場合には、ｔ＝０として３色信号ＣＭＹ１そのものとなり（Ｑｍａｘ＝Ｑｍｉｎ）、３色信号ＣＭＹ１の色が濁色の領域にある場合には、最大値Ｑｍａｘおよび最小値Ｑｍｉｎで決まる値になる。
【００４３】
前記のようにして求められた基準信号ｓｋは、墨（Ｋ）版信号Ｋ３のレベルを調整するための信号として墨（Ｋ）版信号生成回路２２に供給される。墨（Ｋ）版信号生成回路２２では、前記基準信号ｓｋから所定の変換テーブルに従い墨（Ｋ）版信号Ｋ３が生成される。この場合、３色信号ＣＭＹ１の色が濁色の領域にあるとき、前記墨（Ｋ）版信号Ｋ３を最大値Ｑｍａｘおよび最小値Ｑｍｉｎに従い濁色の程度により増減させることができる。なお、濁色の範囲は、制御計数Ｇｉｄｘによって調整することができる。
【００４４】
次に、ＵＣＲの分だけ修正された３色信号ＣＭＹ３および前記墨（Ｋ）版信号Ｋ３は、加算回路２８において、カラーコレクション回路１２で生成された色修正信号ΔＣ、ΔＭ、ΔＹ、ΔＫからなる４色修正信号ΔＣＭＹＫ３が各色に対して加算されることにより、色修正された４色信号ＣＭＹＫ４が生成される。この４色信号ＣＭＹＫ４は、網％設定回路２４において、ハイライト（ＨＬ）およびシャドー（ＳＨ）の網％値が出力特性に応じて調整された網％信号としての出力信号ＣＭＹＫに変換される。そして、前記出力信号ＣＭＹＫに従って、画像出力装置６によりカラーチャートＣＭＹに対応するべきカラー画像が作成される。
【００４５】
ここで、前記出力信号ＣＭＹＫは、測色値Ｌ* 、ａ* 、ｂ* が既知であるカラーチャートＣＭＹから生成されたものである。従って、前記出力信号ＣＭＹＫに対する測色値Ｌ* 、ａ* 、ｂ* を求め、この測色値Ｌ* 、ａ* 、ｂ* がカラーチャートＣＭＹの測色値Ｌ* 、ａ* 、ｂ* に一致するように、色相方向強度関数ＦＲ（Ｈ）、ＦＹ（Ｈ）、ＦＧ（Ｈ）、…ＦＭ（Ｈ）を修正する。なお、色相方向強度関数ＦＲ（Ｈ）、ＦＹ（Ｈ）、ＦＧ（Ｈ）、…ＦＭ（Ｈ）を求めるためには、ＵＣＲ回路１６によるＵＣＲ処理、墨（Ｋ）版信号生成回路２２による墨（Ｋ）版信号の生成処理、カラーコレクション回路１２におけるＫの修正信号ΔＫの生成処理を行わず、カラーチャートＣＭＹのみを生成し、その測色値Ｌ* 、ａ* 、ｂ* がカラーチャートＣＭＹの測色値Ｌ* 、ａ* 、ｂ* に一致するようにしてもよい。
【００４６】
図７は、以上のようにして修正された色相方向強度関数ＦＲ（Ｈ）、ＦＹ（Ｈ）、ＦＧ（Ｈ）、…ＦＭ（Ｈ）を例示したものである。このようにして設定された色相方向強度関数ＦＲ（Ｈ）、ＦＹ（Ｈ）、ＦＧ（Ｈ）、…ＦＭ（Ｈ）を用いることにより、デジタルカメラ２から供給された入力信号ＲＧＢを色処理装置４において変換して得られる出力信号ＣＭＹＫに基づき、画像出力装置６で所望の色からなるカラー画像を高精度に再現することができる。なお、色相方向強度関数ＦＲ（Ｈ）、ＦＹ（Ｈ）、ＦＧ（Ｈ）、…ＦＭ（Ｈ）は、デジタルカメラ２を含むあらゆる画像入力装置に対し同様にして設定することができる。
【００４７】
【発明の効果】
以上のように、本発明では、入力信号に応じた最適なカラーコレクション関数を容易に設定することができ、これによって、高精度な色相からなるカラー画像を生成することが可能となる。
【図面の簡単な説明】
【図１】本実施形態のカラーコレクション関数設定方法が適用されるカラー画像入出力システムの構成図である。
【図２】図１に示す色処理装置の構成ブロック図である。
【図３】図２に示すカラーコレクション回路の構成ブロック図である。
【図４】グレーバランスのハイライトおよびシャドーの調整方法の説明図である。
【図５】グレーバランスの中間調の調整方法の説明図である。
【図６】修正前の色相方向強度関数の説明図である。
【図７】修正後の色相方向強度関数の説明図である。
【符号の説明】
２…デジタルカメラ              ４…色処理装置
６…画像出力装置                １０…濃度設定回路
１２…カラーコレクション回路    １４…階調変換回路
１６…ＵＣＲ回路                １８…最大／最小値算出回路
２０…基準信号生成回路          ２２…墨（Ｋ）版信号生成回路
２４…網％設定回路              ３０…ＨＬＳ変換回路
３２Ｒ〜３２Ｍ…単位色修正信号算出回路
３６…色相方向強度算出回路      ３８…明度・彩度方向強度算出回路
【図１】
0003843170.tif 000002
【図２】
0003843170.tif 000003
【図３】
0003843170.tif 000004
【図４】
0003843170.tif 000005
【図５】
0003843170.tif 000006
【図６】
0003843170.tif 000007
【図７】
0003843170.tif 000008